(57)【特許請求の範囲】
【請求項１】
ユーザ端末が接続状態にあり且つハイブリッドモードホーム基地局によりアクセスする時、コアネットワーク移動性管理ユニットは該ユーザ端末の閉鎖加入者グループ（ＣＳＧ）メンバー関係が変化し又はタイムアウトしたことを検出すると，コアネットワーク移動性管理ユニットはアクティブにしたすべてのローカルアクセスパケットデータネットワーク（ＰＤＮ）接続リリースを開始又はＣＳＧとバインディングされたアクセスポイントネーム（ＡＰＮ）に対応するローカルアクセスＰＤＮ接続リリースを開始し、又はホーム基地局に、ローカルゲートウェイをトリガーしてアクティブにしたすべてのローカルアクセスＰＤＮ接続リリースを開始又はＣＳＧとバインディングされたＡＰＮに対応するローカルアクセスＰＤＮ接続リリースを開始することを通知することを含むローカルアクセス接続の処理方法。
【請求項２】
ユーザ端末のＣＳＧメンバー関係が変化し又はタイムアウトしたことは、該ユーザ端末がＣＳＧ契約加入者から非ＣＳＧ契約加入者になることを含む請求項１に記載の方法。
【請求項３】
前記コアネットワーク移動性管理ユニットはホーム基地局に、ローカルゲートウェイをトリガーしてローカルアクセスＰＤＮ接続リリースを開始することを通知することは、
前記移動性管理ユニットはＳ１メッセージ又はＩｕインターフェースメッセージ中における指示によりホーム基地局に、ローカルゲートウェイをトリガーしてローカルアクセスＰＤＮ接続リリースを開始することを通知することを含む請求項１又は２に記載の方法。
【請求項４】
前記Ｓ１メッセージは、進化した無線アクセスベアラ修正要求メッセージを含み、
前記Ｉｕインターフェースメッセージは、無線アクセスベアラ修正要求メッセージを含む請求項３に記載の方法。
【請求項５】
前記指示は、ユーザ端末の現在のＣＳＧメンバー関係を含み、
ホーム基地局は前記指示を受信した後，比較することによって、該ユーザ端末のＣＳＧメンバー関係が変化したと判断すると、ローカルゲートウェイをトリガーしてローカルアクセスＰＤＮ接続リリースを開始させる請求項３に記載の方法。
【請求項６】
前記指示は、ローカルアクセス非アクティブ化指示を含み、
ホーム基地局は前記指示を受信した後、直接ローカルゲートウェイをトリガーしてローカルアクセスＰＤＮ接続リリースを開始する請求項３に記載の方法。
【請求項７】
検出モジュール及びパケットデータネットワーク（ＰＤＮ）接続リリースモジュールを含み、
前記検出モジュールは、ユーザ端末が接続状態にあり且つハイブリッドモードホーム基地局によりアクセスする時、該ユーザ端末の閉鎖加入者グループ（ＣＳＧ）メンバー関係が変化したか又はタイムアウトしたかを検出するように設置され、
前記ＰＤＮ接続リリースモジュールは、前記検出モジュールが、該ユーザ端末のＣＳＧメンバー関係が変化し又はタイムアウトしたことを検出した時、アクティブにしたすべてのローカルアクセスＰＤＮ接続リリースを開始又はＣＳＧとバインディングされたアクセスポイントネーム（ＡＰＮ）に対応するローカルアクセスＰＤＮ接続リリースを開始し、又はホーム基地局に、ローカルゲートウェイをトリガーしてアクティブにしたすべてのローカルアクセスＰＤＮ接続リリースを開始又はＣＳＧとバインディングされたアクセスポイントネーム（ＡＰＮ）に対応するローカルアクセスＰＤＮ接続リリースを開始することを通知するように設置されるローカルアクセス接続の処理装置。
【請求項８】
前記ユーザ端末のＣＳＧメンバー関係が変化し又はタイムアウトしたことは、該ユーザ端末がＣＳＧ契約加入者から非ＣＳＧ契約加入者になることを含む請求項７に記載の装置。
【請求項９】
前記ＰＤＮ接続リリースモジュールは、リリースＳ１メッセージ又はＩｕインターフェースメッセージ中における指示によりホーム基地局に、ローカルゲートウェイをトリガーしてローカルアクセスＰＤＮ接続リリースを開始することを通知する、という方式を採用して、ホーム基地局に、ローカルゲートウェイをトリガーしてローカルアクセスＰＤＮ接続リリースを開始することを通知するように設置される請求項７又は８に記載の装置。
【請求項１０】
前記Ｓ１メッセージは、進化した無線アクセスベアラ修正要求メッセージを含み、
前記Ｉｕインターフェースメッセージは、無線アクセスベアラ修正要求メッセージを含む請求項９に記載の装置。
【請求項１１】
前記指示は、ユーザ端末のＣＳＧメンバー関係又はローカルアクセス非アクティブ化指示を含む請求項９に記載の装置。
【発明の詳細な説明】
【技術分野】
【０００１】
本発明は移動通信分野に関し，具体的にはローカルアクセス機能（ローカルＩＰアクセス、選択性ＩＰトラフィックオフロードを含む）使用状況下でのローカルアクセス接続処理方法及び装置に関する。
【背景技術】
【０００２】
第三世代移動通信システムの通信分野での競争力を保持し，ユーザにレートがより速く、遅延がより低く、及びより個性化がある移動通信サービスを提供し，同時に，オペレーターの運営コストを低減させるために，第三世代パートナーシッププロジェクト（３ｒｄ  Ｇｅｎｅｒａｔｉｏｎ  Ｐａｒｔｎｅｒｓｈｉｐ  Ｐｒｏｊｅｃｔ，３ＧＰＰと略称する）標準作業グループは進化型パケットシステム（Ｅｖｏｌｖｅｄ  Ｐａｃｋｅｔ  Ｓｙｓｔｅｍ，ＥＰＳと略称する）の研究に努めている。図１は進化型パケットドメインシステムの構造模式図を示し，図１に示すように，ＥＰＳシステム全体は無線アクセスネットワーク及びコアネットワークの２つの部分に分けられる。コアネットワーク中において，ホーム加入者サーバ（Ｈｏｍｅ  Ｓｕｂｓｃｒｉｂｅｒ  Ｓｅｒｖｅｒ，ＨＳＳと略称する）、移動性管理エンティティ（Ｍｏｂｉｌｉｔｙ  Ｍａｎａｇｅｍｅｎｔ  Ｅｎｔｉｔｙ，ＭＭＥと略称する）、サービングＧＰＲＳサポートノード（Ｓｅｒｖｉｎｇ  ＧＰＲＳ  Ｓｕｐｐｏｒｔ  Ｎｏｄｅ，ＳＧＳＮと略称する）、ポリシー及び課金ルール機能（Ｐｏｌｉｃｙ  ａｎｄ  Ｃｈａｒｇｉｎｇ  Ｒｕｌｅ  Ｆｕｎｃｔｉｏｎ，ＰＣＲＦと略称する）、サービングゲートウェイ（Ｓｅｒｖｉｎｇ  Ｇａｔｅｗａｙ，Ｓ−ＧＷと略称する）、パケットデータゲートウェイ（ＰＤＮ  Ｇａｔｅｗａｙ，Ｐ−ＧＷと略称する）及びパケットデータネットワーク（Ｐａｃｋｅｔ  Ｄａｔａ  Ｎｅｔｗｏｒｋ，ＰＤＮと略称する）を含む。以下、各部分の機能を詳しく説明する。
【０００３】
ホーム加入者サーバは，ユーザ加入データの恒久的な保管場所であり，ユーザが加入したホームネットワークに位置する。
【０００４】
移動性管理エンティティは，ユーザ加入データの現在ネットワークでの保管場所であり，端末からネットワークまでの非アクセス層シグナリング管理、端末の安全確認機能、端末の移動性管理、ユーザアイドルモード下でのトラッキング及びページング管理機能並びにベアラ管理を担当する。
【０００５】
サービングＧＰＲＳサポートノードは，モバイル通信用グローバルシステム（Ｇｌｏｂａｌ  Ｓｙｓｔｅｍ  ｆｏｒ  Ｍｏｂｉｌｅ  Ｃｏｍｍｕｎｉｃａｔｉｏｎｓ，ＧＳＭ（登録商標）と略称する）拡張データレートＧＳＭ（登録商標）エボリューション（Ｅｎｈａｎｃｅｄ  Ｄａｔａ  Ｒａｔｅ  ｆｏｒ  ＧＳＭ  Ｅｖｏｌｕｔｉｏｎ，ＥＤＧＥと略称する）無線アクセスネットワーク（ＧＳＭ  ＥＤＧＥ  Ｒａｄｉｏ  Ａｃｃｅｓｓ  Ｎｅｔｗｏｒｋ，ＧＥＲＡＮと略称する）及びユニバーサル移動通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ，ＵＭＴＳと略称する）地上無線アクセスネットワーク（ＵＭＴＳ  Ｔｅｒｒｅｓｔｒｉａｌ  Ｒａｄｉｏ  Ａｃｃｅｓｓ  Ｎｅｔｗｏｒｋ，ＵＴＲＡＮと略称する）ユーザアクセスコアネットワークのサービス支持点であり，機能上では移動性管理エンティティと類似し，ユーザの位置更新、ページング管理及びベアラ管理等の機能を担当する。
【０００６】
サービングゲートウェイは，コアネットワークから無線システムへのゲートウェイであり，端末からコアネットワークへのユーザ面ベアラ、端末アイドルモード下でのデータキャッシュ、ネットワーク側がサービス要求を開始する機能、合法的傍受及びパケットデータルーティング及び転送機能を担当し、サービングゲートウェイはユーザ端末が無線ネットワークを使用する状況を統計し，且つ端末が無線网を使用する請求書を生成し，課金ゲートウェイに伝送することを担当する。
【０００７】
パケットデータゲートウェイは，進化型システム及び該システム外部パケットデータネットワークのゲートウェイであり，インターネット及びパケットデータネットワークに接続され，端末のインターネットプロトコル（Ｉｎｔｅｒｎｅｔ  Ｐｒｏｔｏｃｏｌ，ＩＰと略称する）アドレス割り当て、課金機能、パケットのパケットフィルタリング、及びポリシー制御等の機能を担当する。
【０００８】
パケットデータネットワークは，オペレーターのＩＰサービスネットワークであり，該ネットワークはオペレーターのコアネットワークによりユーザにＩＰサービスを提供する。
【０００９】
ポリシー及び課金ルール機能エンティティは，進化型システム中において課金制御、オンラインクレジット制御、閾値制御、及びサービスの品質（Ｑｕａｌｉｔｙ  ｏｆ  Ｓｅｒｖｉｃｅ，ＱｏＳと略称する）ポリシー方面ルールを提供することを担当するサーバである。
【００１０】
無線アクセスネットワークは，進化型基地局（Ｅｖｏｌｖｅｄ  ＮｏｄｅＢ，ｅＮＢと略称する）と３Ｇ無線ネットワーク制御器（Ｒａｄｉｏ  Ｎｅｔｗｏｒｋ  Ｃｏｎｔｒｏｌｌｅｒ，ＲＮＣと略称する）からなり，これは主に無線信号の送受信を担当し，空中インターフェースを通じて端末と連絡し，空中インターフェースの無線リソース、リソーススケジューリング、及びアクセス制御を管理する。
【００１１】
上記サービングＧＰＲＳサポートノードはアップグレードされたＳＧＳＮであり，サービングゲートウェイとの間のＳ４インターフェースを支持し，且つ移動性管理エンティティＭＭＥとの間にＧＰＲＳトンネリングプロトコルバージョン２（ＧＰＲＳ  Ｔｕｎｎｅｌｉｎｇ  Ｐｒｏｔｏｃｏｌ  ｖｅｒｓｉｏｎ  ２，ＧＴＰｖ２と略称する）を採用して相互通信することができる。３Ｇコアネットワークを支持するＳＧＳＮに対してパケット交換（Ｐａｃｋｅｔ  Ｓｗｉｔｃｈｉｎｇ，ＰＳと略称する）ドメインネットワークアーキテクチャは図１と異なる。この時ＳＧＳＮとＭＭＥはＧｎインターフェースを採用して接続し，相互通信はＧＰＲＳトンネリングプロトコルバージョン１（ＧＰＲＳ  Ｔｕｎｎｅｌｉｎｇ  Ｐｒｏｔｏｃｏｌ  ｖｅｒｓｉｏｎ  １，ＧＴＰｖ１と略称する）を採用する。ＳＧＳＮはサービングゲートウェイに接続することができず，ＧｎインターフェースによりゲートウェイＧＰＲＳサポートノード（Ｇａｔｅｗａｙ  ＧＰＲＳ  Ｓｕｐｐｏｒｔ  Ｎｏｄｅ，ＧＧＳＮと略称する）に接続して直接にパケットデータネットワークアクセスを行う。
【００１２】
ホーム基地局（Ｈｏｍｅ  ＮｏｄｅＢ，ＨＮＢと略称する）又は進化したホーム基地局（Ｈｏｍｅ  ｅＮｏｄｅＢ，ＨｅＮＢと略称する）は１類の小型、低電力の基地局であり，一部のユーザの専用リソースとして，ホーム、団体、会社又は学校等のプライベートスペースに配置して使用され，主にユーザにより高いサービスレートを提供し且つ高レートサービスの使用に必要な費用を低減し，同時に既存の分散型ハニカム無線通信システムのカバーの不足を補うためである。ホーム基地局の利点は実益、便利、低電力出力、プラグ・アンド・プレイ、広帯域アクセス、及び単一モード端末を用いること等である。
【００１３】
ホーム基地局は直接にコアネットワークに接続することができ，図２ａに示すように，ホーム基地局ゲートウェイのこのロジックネットエレメントによりコアネットワークにアクセスしてもよく，図２ｂに示すように，そのうち，ホーム基地局ゲートウェイの主要機能は、ホーム基地局の安全性を確認し，ホーム基地局の登録を処理し，ホーム基地局に対して運用および保守管理を行い，オペレーター要求に基づいてホーム基地局を設定、制御し，コアネットワークとホーム基地局のデータを交換することを担当する。
【００１４】
ローカルアクセス機能（ローカルＩＰアクセス（Ｌｏｃａｌ  ＩＰ  Ａｃｃｅｓｓ，ＬＩＰＡと略称する）又は選択ＩＰトラフィックオフロード（Ｓｅｌｅｃｔｅｄ  ＩＰ  Ｔｒａｆｆｉｃ  Ｏｆｆｌｏａｄ，ＳＩＰＴＯと略称する）を含む），即ち端末の家庭用ネットワークのほかのＩＰ機器、企業ネットワーク中におけるＩＰ機器又はインターネットへのローカルアクセスを実現するために，図３に示すように、ローカルゲートウェイを追加する。ローカルアクセスゲートウェイの追加はローカルアクセス技術へ強力なサポートを提供することができ，ローカルゲートウェイは無線側ネットエレメントと共同設置され又は無線側ネットエレメント付近（即ち、外置）に設置されてもよい。ローカルゲートウェイはローカルＰＧＷ（Ｌｏｃａｌ  Ｇａｔｅｗａｙ，Ｌ−ＧＷと略称する）、ローカルＧＧＳＮ（Ｌｏｃａｌ  ＧＧＳＮ，Ｌ−ＧＧＳＮと略称する）を含み，一部のＰＧＷ及びＧＧＳＮの機能を有する。
【００１５】
移動通信ネットワークアーキテクチャ中において，ローカルアクセスと従来のコアネットワークアクセスのデータフローパスは図３に示す通りである。ローカルアクセスを支持するユーザに対して，同時に従来のコアネットワークアクセスデータパスとローカルアクセスデータパスを確立することができる。ローカルアクセスの接続に対して，ローカルアクセスデータパスは端末―無線側ネットエレメントーローカルアクセスゲートウェイ（例えば、Ｌ−ＰＧＷ及びＬ−ＧＧＳＮ）に至り，さらにローカルネットワークリソースをアクセスし，データ送信はコアネットワークを通過しない。端末の家庭用ネットワークのほかのＩＰ機器又はインターネットへのローカルアクセスを実現するために，２本の接続を確立することができ，第１本のローカルアクセスデータパスは直接にインターネット（インターネットＩＰ接続，即ちＳＩＰＴＯ接続）にアクセスする。第２本ローカルアクセスデータパスは直接に家庭用ネットワークの他のＩＰ機器（家庭用ネットワークＩＰ接続，即ちＬＩＰＡ接続）にアクセスする。
【００１６】
ホーム又は企業ネットワーク中においてＩＰ機器で構成されるローカルネットワークリソースはローカルネットワークへのアクセスを許可するユーザのみに使用され，この類のユーザはＨＳＳ中にローカルアクセス加入情報を保存している。ユーザが接続状態にある時，ローカルアクセス加入情報が変化したと，ネットワークはどのようにアクティブにしたローカルアクセス接続を処理するか、まだ明らかではない。
【発明の概要】
【発明が解決しようとする課題】
【００１７】
本発明が解決しようとする技術問題はローカルアクセス接続の処理方法及び装置であり，ローカルアクセス加入情報が変化した時、ローカルアクセス接続の処理案を提供する。
【課題を解決するための手段】
【００１８】
上記技術問題を解決するために，本発明はローカルアクセス接続の処理方法を提供し，
ユーザ端末が接続状態にあり且つハイブリッドモードホーム基地局によりアクセスする時，コアネットワーク移動性管理ユニットは該ユーザ端末の閉鎖加入者グループ（ＣＳＧ）メンバー関係が変化し又はタイムアウトしたことを検出すると，コアネットワーク移動性管理ユニットは影響されたローカルアクセスパケットデータネットワーク（ＰＤＮ）接続リリースを開始し，又はホーム基地局に通知してローカルゲートウェイをトリガーさせて影響されたローカルアクセスＰＤＮ接続リリースを開始することを含む。
【００１９】
好ましくは、ユーザ端末のＣＳＧメンバー関係が変化し又はタイムアウトしたことは，該ユーザ端末がＣＳＧ契約加入者から非ＣＳＧ契約加入者になることを含む。
【００２０】
好ましくは、前記リリースされたローカルアクセスＰＤＮ接続は，アクティブにしたすべてのローカルアクセスＰＤＮ接続，又はＣＳＧとバインディングされたアクセスポイントネーム（ＡＰＮ）に対応するローカルアクセスＰＤＮ接続を含む。
【００２１】
好ましくは、前記コアネットワーク移動性管理ユニットはホーム基地局に通知してローカルゲートウェイをトリガーさせてローカルアクセスＰＤＮ接続リリースを開始することは，
前記移動性管理ユニットはＳ１メッセージ又はＩｕインターフェースメッセージ中における指示によりホーム基地局に通知してローカルゲートウェイをトリガーさせてローカルアクセスＰＤＮ接続リリースを開始することを含む。
【００２２】
好ましくは、前記Ｓ１メッセージは、進化した無線アクセスベアラ修正要求メッセージを含み、前記Ｉｕインターフェースメッセージは、無線アクセスベアラ修正要求メッセージを含む。
【００２３】
好ましくは、前記指示は、ユーザ端末現在のＣＳＧメンバー関係情報を含み、
ホーム基地局は前記指示を受信した後，比較を通じて該ユーザ端末のＣＳＧメンバー関係が変化したと判断すると，ローカルゲートウェイをトリガーしてローカルアクセスＰＤＮ接続リリースを開始する。
【００２４】
好ましくは、前記指示は、ローカルアクセス非アクティブ化指示を含み、ホーム基地局は前記指示を受信した後，直接にローカルゲートウェイをトリガーしてローカルアクセスＰＤＮ接続リリースを開始する。
【００２５】
上記技術問題を解決するために，本発明はさらにローカルアクセス接続の処理装置を提供し，検出モジュール及びパケットデータネットワーク（ＰＤＮ）接続リリースモジュールを含み，
前記検出モジュールは，ユーザ端末が接続状態にあり且つハイブリッドモードホーム基地局によりアクセスする時，該ユーザ端末の閉鎖加入者グループ（ＣＳＧ）メンバー関係が変化し又はタイムアウトしたかを検出するように設置され、
前記ＰＤＮ接続リリースモジュールは，前記検出モジュールは該ユーザ端末のＣＳＧメンバー関係が変化し又はタイムアウトしたことを検出した時，影響されたローカルアクセスＰＤＮ接続リリースを開始し，又はホーム基地局に通知してローカルゲートウェイをトリガーさせて影響されたローカルアクセスＰＤＮ接続リリースを開始するように設置される。
【００２６】
好ましくは、前記ユーザ端末のＣＳＧメンバー関係が変化し又はタイムアウトしたことは，該ユーザ端末がＣＳＧ契約加入者から非ＣＳＧ契約加入者になることを含む。
【００２７】
好ましくは、前記リリースされたローカルアクセスＰＤＮ接続は，アクティブにしたすべてのローカルアクセスＰＤＮ接続，又はＣＳＧとバインディングされたＡＰＮに対応するローカルアクセスＰＤＮ接続を含む。
【００２８】
好ましくは、前記ＰＤＮ接続リリースモジュールは、ＰＤＮ接続リリースモジュールがＳ１メッセージ又はＩｕインターフェースメッセージ中における指示によりホーム基地局に通知してローカルゲートウェイをトリガーさせてローカルアクセスＰＤＮ接続リリースを開始するという方式を採用して、ホーム基地局に通知してローカルゲートウェイをトリガーさせてローカルアクセスＰＤＮ接続リリースを開始するように設置される。
【００２９】
好ましくは、前記Ｓ１メッセージは、進化した無線アクセスベアラ修正要求メッセージを含み、前記Ｉｕインターフェースメッセージは、無線アクセスベアラ修正要求メッセージを含む。
【００３０】
好ましくは、前記指示は、ユーザ端末のＣＳＧメンバー関係情報又はローカルアクセス非アクティブ化指示を含む。
【発明の効果】
【００３１】
本発明の実施例による方法及び装置は，ローカルアクセス加入情報が動的に変化し，特にユーザ端末がＣＳＧ契約加入者から非ＣＳＧ契約加入者になった時、ネットワーク側にローカルアクセス接続をリリースさせられ，不必要的なリソース浪費を避ける。
【図面の簡単な説明】
【００３２】
図面説明は本発明への更なる理解を提供し，且つ明細書の一部分になり，本発明の実施例とともに本発明を解釈することに用いられ，本発明を制限するものではない。図面において、
【図１】図１は進化型パケットドメインシステムの構造模式図である。
【図２ａ】図２ａ、ｂはホーム基地局がコアネットワークにアクセスする模式図である。
【図２ｂ】図２ａ、ｂはホーム基地局がコアネットワークにアクセスする模式図である。
【図３】図３はローカルアクセスと従来のコアネットワークアクセスのデータフローパス模式図である。
【図４】図４は本発明の実施例１のフローチャートである。
【図５】図５は本発明の実施例２のフローチャートである。
【図６】図６は本発明の実施例３の装置構造模式図である。
【図７】図７は本発明応用例１のフローチャートである。
【図８】図８は本発明応用例２のフローチャートである。
【図９】図９は本発明応用例３のフローチャートである。
【図１０】図１０は本発明応用例４のフローチャートである。
【図１１】図１１は本発明応用例５のフローチャートである。
【図１２】図１２は本発明応用例６のフローチャートである
【図１３】図１３は本発明応用例７のフローチャートである。
【図１４】図１４は本発明応用例８のフローチャートである。
【発明を実施するための形態】
【００３３】
以下、図面を参照しながら本発明の実施例を詳しく説明する。ただし、衝突がない場合，本出願における実施例及び実施例における特徴は互いに任意に組み合せることができる。
【００３４】
実施例１
本実施例はユーザがｗｉｌｄ  ｃａｒｄ  ＡＰＮ（ワイルドカードアクセスポイントネーム）に加入していないシーンに応用され，図４に示すように，以下のステップを含む。
【００３５】
ステップ４０１：ユーザが接続状態にあり且つハイブリッドモードホーム基地局によりアクセスする時，コアネットワーク移動性管理ユニットは該ユーザ端末のＣＳＧ（閉鎖加入者グループ）メンバー関係が変化し又はタイムアウトした（例えば，ＣＳＧ契約加入者から非ＣＳＧ契約加入者になる）ことを検出すると、
上記コアネットワーク移動性管理ユニットはＥＰＣネットワーク中においてＭＭＥであり，ＧＰＲＳネットワーク中においてＳＧＳＮ（Ｇｎインターフェースを支持するＳＧＳＮ、Ｇｐインターフェースを支持するＳＧＳＮ又はＳ４インターフェースを支持するＳＧＳＮを含む）である。
【００３６】
本文に記載のユーザはユーザ機器を指し，ユーザ端末とも称する。
【００３７】
ステップ４０２：コアネットワーク移動性管理ユニットはアクティブにしたすべてのローカルアクセスＰＤＮ接続リリースを開始し、又はホーム基地局に通知してローカルゲートウェイをトリガーさせてアクティブにしたすべてのローカルアクセスＰＤＮ接続リリースを開始する。
【００３８】
移動性管理ユニットはＳ１メッセージ又はＩｕインターフェースメッセージ中における指示により基地局に通知してローカルゲートウェイをトリガーさせてアクティブにしたすべてのローカルアクセスＰＤＮ接続リリースを開始する。ホーム基地局は上記トリガー指示を受信した後，Ｓｘｘインターフェース又は内部インターフェースによりローカルゲートウェイに通知してアクティブにしたすべてのローカルアクセスＰＤＮ接続リリースを開始させることができる。そのうち，Ｓ１メッセージ（例えばＥ−ＲＡＢ修正メッセージ）又はＩｕインターフェースメッセージ（例えばＲＡＢ修正メッセージ）中における指示はユーザＣＳＧメンバー関係又はローカルアクセス非アクティブ化指示であってもよい。
【００３９】
ホーム基地局が受信したのはユーザＣＳＧメンバー関係であると，前のＣＳＧメンバー関係を比較することにより、ユーザのＣＳＧメンバー関係がＣＳＧ契約加入者から非ＣＳＧ契約加入者になったと発見した場合，ホーム基地局はローカルゲートウェイをトリガーしてローカルアクセスＰＤＮ接続リリースを開始する。
【００４０】
ホーム基地局がローカルアクセス非アクティブ化指示を受信すると，ホーム基地局は直接にローカルゲートウェイをトリガーしてローカルアクセスＰＤＮ接続リリースを開始する。
【００４１】
実施例２
本実施例はユーザがｗｉｌｄ  ｃａｒｄ  ＡＰＮに加入したシーンに応用され，図５に示すように，以下のステップを含む。
【００４２】
ステップ５０１，ユーザが接続状態にあり且つハイブリッドモードホーム基地局によりアクセスする時，コアネットワーク移動性管理ユニットはユーザのＣＳＧメンバー関係が変化し又はタイムアウトした（例えば，ＣＳＧ契約加入者から非ＣＳＧ契約加入者になる）ことを検出すると、
上記コアネットワーク移動性管理ユニットはＥＰＣネットワーク中においてＭＭＥであり，ＧＰＲＳネットワーク中においてＳＧＳＮ（Ｇｎインターフェースを支持するＳＧＳＮ、Ｇｐインターフェースを支持するＳＧＳＮ又はＳ４インターフェースを支持するＳＧＳＮを含む）である。
【００４３】
ステップ５０２：コアネットワーク移動性管理ユニットはＣＳＧとバインディングされたＡＰＮに対応するローカルアクセスＰＤＮ接続リリースを開始し、又はホーム基地局に通知してローカルゲートウェイをトリガーさせてＣＳＧとバインディングされたＡＰＮに対応するローカルアクセスＰＤＮ接続リリースを開始する。
【００４４】
本実施例と実施例１との区別は、ユーザがｗｉｌｄ  ｃａｒｄ  ＡＰＮに加入したため，ＰＤＮ接続をリリースする時，リリースしたのが、すべてのＡＰＮ接続ではなく、ＣＳＧとバインディングされたＡＰＮに対応するローカルアクセスＡＰＮ接続であることにある。
【００４５】
移動性管理ユニットはＳ１メッセージ又はＩｕインターフェースメッセージにおける指示によりホーム基地局に通知してローカルゲートウェイをトリガーさせてＣＳＧとバインディングされたＡＰＮに対応するローカルアクセスＰＤＮ接続リリースを開始する。ホーム基地局は上記トリガー指示を受信した後，Ｓｘｘインターフェース又は内部インターフェースによりローカルゲートウェイに通知して加入されたＡＰＮがあるローカルアクセスＰＤＮ接続リリースを開始することができる。そのうち，Ｓ１メッセージ（例えばＥ−ＲＡＢベアラ修正メッセージ）又はＩｕインターフェースメッセージ（例えばＲＡＢベアラ修正メッセージ）中における指示はユーザＣＳＧメンバー関係又はローカルアクセス非アクティブ化指示であってもよい。
【００４６】
ホーム基地局が受信したのはユーザＣＳＧメンバー関係であると，前のＣＳＧメンバー関係を比較することにより、ユーザのＣＳＧメンバー関係がＣＳＧ契約加入者から非ＣＳＧ契約加入者になったと発見した場合，ホーム基地局はローカルゲートウェイをトリガーしてローカルアクセスＰＤＮ接続リリースを開始する。
【００４７】
ホーム基地局がローカルアクセス非アクティブ化指示を受信したと，ホーム基地局は直接にローカルゲートウェイをトリガーしてローカルアクセスＰＤＮ接続リリースを開始する。
【００４８】
実施例３
本実施例は上記方法を実現する装置を説明し、図６に示すように，検出モジュール及びＰＤＮ接続リリースモジュールを含み，
該検出モジュールは，ユーザ端末が接続状態にあり且つハイブリッドモードホーム基地局によりアクセスする時，該ユーザ端末のＣＳＧメンバー関係が変化し又はタイムアウトしたかを検出することに用いられ、
該ＰＤＮ接続リリースモジュールは，前記検出モジュールは該ユーザ端末のＣＳＧメンバー関係が変化し又はタイムアウトしたことを検出した時，ローカルアクセスＰＤＮ接続リリースを開始し，又はホーム基地局に通知してローカルゲートウェイをトリガーさせてローカルアクセスＰＤＮ接続リリースを開始することに用いられる。
【００４９】
上記リリースされたローカルアクセスＰＤＮ接続は、アクティブにしたすべてのローカルアクセスＰＤＮ接続，又はＣＳＧとバインディングされたＡＰＮに対応するローカルアクセスＰＤＮ接続を含む。
【００５０】
好ましくは、該ＰＤＮ接続リリースモジュールは、Ｓ１メッセージ（例えば進化した無線アクセスベアラ修正要求メッセージ）又はＩｕインターフェースメッセージ（例えば無線アクセスベアラ修正要求メッセージ）中における指示によりホーム基地局に通知してローカルゲートウェイをトリガーさせてローカルアクセスＰＤＮ接続リリースを開始するという方式を採用して、ホーム基地局に通知してローカルゲートウェイをトリガーさせてローカルアクセスＰＤＮ接続リリースを開始する。上記指示は、ユーザ端末のＣＳＧメンバー関係情報又はローカルアクセス非アクティブ化指示を含む。
【００５１】
以下、いくつの応用例で具体的に本発明方法を説明する。
【００５２】
応用例１
図７は本発明応用例１のフローチャートであり，ＥＰＣネットワークを例として，ユーザローカルアクセス加入データが変化する時のローカルアクセス接続の処理方法を説明し，具体的には、本実施例は、コアネットワーク移動性管理ユニットＭＭＥ中に保存しているユーザＣＳＧ（閉鎖加入者グループ）加入タイムアウトを例としてローカルアクセス接続処理方法の説明を行う。
【００５３】
ステップ７０１：コアネットワーク移動性管理ユニットＭＭＥ中にユーザのＣＳＧ加入情報を保存し，ユーザが接続状態にあり且つハイブリッドモードホーム基地局によりネットワークにアクセスする時，ＭＭＥはホーム基地局に対応するＣＳＧ  ＩＤタイムアウトによってユーザのＣＳＧメンバー関係が変化した（ＣＳＧ契約加入者から非ＣＳＧ契約加入者になる）ことを検出した時，ＭＭＥはローカルアクセスＰＤＮ接続リリースを開始する必要があり、
具体的には，ユーザＷｉｌｄｃａｒｄ  ＡＰＮ（ワイルドカードアクセスポイントネーム）に加入していないと、ＭＭＥはアクティブにしたすべてのローカルアクセスＰＤＮ接続リリースを開始する。ユーザがＷｉｌｄｃａｒｄ  ＡＰＮに加入したと，ＭＭＥはセッション管理コンテキスト中においてＣＳＧとバインディングされたＡＰＮに対応するローカルアクセスＰＤＮ接続リリースを開始し，セッション管理コンテキスト中においてＣＳＧとバインディングされていないＡＰＮに対応するローカルアクセスＰＤＮ接続に対して処理を行わない。
【００５４】
各ＣＳＧ加入情報はいずれもユーザ該ＣＳＧ  ＩＤを使用するタイムアウト時間を含み，ユーザが加入したあるＣＳＧ  ＩＤタイムアウト時間が満期になると，ユーザの該ＣＳＧ  ＩＤへの加入は失効することを表明し，ユーザの該ＣＳＧでのメンバー関係はＣＳＧ契約加入者から非ＣＳＧ契約加入者になる。
【００５５】
ステップ７０２：ＭＭＥはＳ１インターフェースアプリケーションプロトコル中（以下、Ｓ１  ＡＰと略称する）におけるＵＥコンテキスト修正要求メッセージを通じてユーザの新たなＣＳＧメンバー関係（ＣＳＧ契約加入者から非ＣＳＧ契約加入者になる）をＨｅＮＢに送信し，ＨｅＮＢは新たなＣＳＧメンバー関係を用いてエアインターフェースリソース割り当てを実行する。
【００５６】
ステップ７０３：ＨｅＮＢはＳ１  ＡＰ  ＵＥコンテキスト修正応答メッセージを応答する。
【００５７】
ステップ７０４：ＭＭＥはステップ７０１の判断結果に基づいてローカルアクセスＰＤＮ接続削除過程を開始する。
【００５８】
ステップ７０５−７０６：Ｓ−ＧＷ及びＬ−ＧＷ中においてローカルアクセス接続に対応するユーザ面トンネリングをリリースする。
【００５９】
ステップ７０７：Ｓ−ＧＷはＭＭＥにセッション削除応答メッセージを送信する。
【００６０】
ステップ７０８−７０９：ローカルアクセス接続に対応するエアインターフェースベアラをリリースする。
【００６１】
応用例２
図８は本発明応用例２のフローチャートであり，ＥＰＣネットワークを例とし，ユーザローカルアクセス加入データが変化する時のローカルアクセス接続の処理方法を説明し，具体的には、
本実施例は、加入データが更新してコアネットワーク移動性管理ユニットＭＭＥに保存しているユーザＣＳＧ加入の失効をもたらすことを例としてローカルアクセス接続処理方法の説明を行う。
【００６２】
ステップ８０１：ＨＳＳ中においてユーザＣＳＧ加入データは更新し，ＨＳＳはＭＭＥに更新された後のＣＳＧ加入情報を携帯するユーザデータ挿入要求メッセージを送信する。
【００６３】
ＭＭＥは新たなＣＳＧ加入メッセージに基づいてユーザ現在のＣＳＧメンバー関係が変化したと発見した時，すなわち接続状態ユーザ現在アクセスホーム基地局に対応するＣＳＧ  ＩＤ加入は失効してユーザのＣＳＧメンバー関係が変化した（ＣＳＧ契約加入者から非ＣＳＧ契約加入者になる）時，ＭＭＥはローカルアクセスＰＤＮ接続リリース過程を開始する必要がある。
【００６４】
具体的には，ユーザがＷｉｌｄｃａｒｄ  ＡＰＮに加入していないと，ＭＭＥはアクティブにしたすべてのローカルアクセスＰＤＮ接続リリースを開始する。ユーザがＷｉｌｄｃａｒｄ  ＡＰＮに加入したと，ＭＭＥはセッション管理コンテキスト中においてＣＳＧとバインディングされたＡＰＮに対応するローカルアクセスＰＤＮ接続リリースを開始し，セッション管理コンテキスト中においてＣＳＧとバインディングされていないＡＰＮに対応するローカルアクセスＰＤＮ接続に対して処理を行わない。
【００６５】
ステップ８０２：ＭＭＥはＨＳＳにユーザデータ挿入応答メッセージを応答する。
【００６６】
ステップ８０３〜ステップ８１０は応用例１のステップ７０２〜ステップ７０９と同じであり，繰り返して説明しない。
【００６７】
応用例３
図９は本発明応用例３のフローチャートであり，ＥＰＣネットワークを例として，ユーザローカルアクセス加入データが変化する時のローカルアクセス接続の処理方法を説明し，具体的には、
コアネットワーク移動性管理ユニットＭＭＥ中に保存しているユーザＣＳＧ加入タイムアウトを例としてローカルアクセス接続処理方法の説明を行う。
【００６８】
ステップ９０１：コアネットワーク移動性管理ユニットＭＭＥ中にユーザのＣＳＧ加入情報を保存し，ユーザが接続状態にあり且つハイブリッドモードホーム基地局によりネットワークにアクセスする時，ＭＭＥはホーム基地局に対応するＣＳＧ  ＩＤタイムアウトによってユーザのＣＳＧメンバー関係が変化した（ＣＳＧ契約加入者から非ＣＳＧ契約加入者になる）ことを検出した時，ＭＭＥはＨｅＮＢに指示を出してローカルゲートウェイＬ−ＧＷをトリガーさせてローカルアクセスＰＤＮ接続リリースを開始する。
【００６９】
具体的には，ユーザがＷｉｌｄｃａｒｄ  ＡＰＮに加入していないと，ＭＭＥはホーム基地局に指示を出してローカルゲートウェイをトリガーさせてアクティブにしたすべてのローカルアクセスＰＤＮ接続リリースを開始する。ユーザがＷｉｌｄｃａｒｄ  ＡＰＮに加入したと，ＭＭＥはホーム基地局に指示を出してローカルゲートウェイをトリガーさせてセッション管理コンテキスト中においてＣＳＧとバインディングされたＡＰＮに対応するローカルアクセスＰＤＮ接続リリースを開始し，セッション管理コンテキスト中においてＣＳＧとバインディングされていないＡＰＮに対応するローカルアクセスＰＤＮ接続に対して処理を行わない。
【００７０】
ステップ９０２：ＭＭＥはＳ１インターフェースメッセージ中における進化した無線アクセスベアラ（Ｅ−ＲＡＢ）修正要求メッセージを通じてユーザＣＳＧメンバー関係又はローカルアクセス接続非アクティブ化指示をＨｅＮＢに送信する。
【００７１】
ステップ９０１の判定に基づいて，ＭＭＥはホーム基地局に指示を出してローカルゲートウェイをトリガーさせてすべてのアクティブにしたローカルアクセスＰＤＮ接続リリースを開始する必要があると，すべてのローカルアクセスＰＤＮ接続に対応する無線ベアラの修正パラメータ中にユーザＣＳＧメンバー関係又はローカルアクセス接続非アクティブ化指示を携帯する。ＭＭＥはホーム基地局に指示を出してローカルゲートウェイをトリガーさせてセッション管理コンテキスト中においてＣＳＧとバインディングされたＡＰＮに対応するローカルアクセスＰＤＮ接続リリースを開始する必要があると，バインディング関係があるＡＰＮに対応するローカルアクセスＰＤＮ接続が対応する無線ベアラの修正パラメータ中にユーザＣＳＧメンバー関係又はローカルアクセス接続非アクティブ化指示を携帯する。
【００７２】
ＨｅＮＢは上記の指示を携帯している無線ベアラに基づいて相応するローカルアクセス接続及びそれをサービスするＬ−ＧＷを見つけて，Ｌ−ＧＷをトリガーしてローカルアクセスＰＤＮ接続リリースを開始することができる。
【００７３】
ただし、ＭＭＥはユーザＣＳＧメンバー関係パラメータを使用してＨｅＮＢに指示を出してＬ−ＧＷをトリガーさせてローカルアクセスＰＤＮ接続リリースを開始すると，ＨｅＮＢはそれを以前のＣＳＧメンバー関係と比較する必要があり，ユーザがＣＳＧメンバーから非ＣＳＧメンバーになったと発見したと，Ｌ−ＧＷをトリガーして無線ベアラに対応するローカルアクセスＰＤＮ接続リリースを開始する。
【００７４】
ＭＭＥはローカルアクセス接続非アクティブ化パラメータを使用してＨｅＮＢに指示を出してＬ−ＧＷをトリガーさせてローカルアクセスＰＤＮ接続リリースを開始すると，ＨｅＮＢはローカルアクセス接続非アクティブ化パラメータ指示を受信した後、Ｌ−ＧＷをトリガーして無線ベアラに対応するローカルアクセスＰＤＮ接続リリースを開始する。
【００７５】
ステップ９０３：ＨｅＮＢはＭＭＥへ進化した無線アクセスベアラ修正応答メッセージを応答する。
【００７６】
ステップ９０４：ＨｅＮＢはステップ９０２の判定に基づいて，ＨｅＮＢとＬ−ＧＷとの間のＳｘｘインターフェース又は内部インターフェースによりＬ−ＧＷに通知して相応のローカルアクセスＰＤＮ接続リリースを開始し，そのうち、Ｓｘｘインターフェースは標準化されていないインターフェースである。
【００７７】
ステップ９０５：Ｌ−ＧＷは通知応答メッセージを返答する。
【００７８】
ステップ９０６−９０９：Ｌ−ＧＷはローカルアクセスＰＤＮ接続リリース過程を開始する。
【００７９】
ステップ９１０−９１１：ローカルアクセスＰＤＮは対応する無線ベアラリリースに接続する。
【００８０】
応用例４
図１０は本発明応用例４のフローチャートであり，ＥＰＣネットワークを例として，ユーザローカルアクセス加入データが変化する時のローカルアクセス接続の処理方法を説明し，具体的には、本実施例は、加入データが更新してコアネットワーク移動性管理ユニットＭＭＥ中に保存しているユーザＣＳＧ加入の失効をもたらすことを例としてローカルアクセス接続処理方法の説明を行う。
【００８１】
ステップ１００１：ＨＳＳ中においてユーザＣＳＧ加入データは更新し，ＨＳＳはＭＭＥに更新された後のＣＳＧ加入情報を携帯するユーザデータ挿入要求メッセージを送信する。
【００８２】
ＭＭＥは新たなＣＳＧ加入メッセージに基づいてユーザ現在のＣＳＧメンバー関係が変化したと発見した時，すなわち接続状態ユーザ現在アクセスホーム基地局に対応するＣＳＧ  ＩＤ加入は失効してユーザのＣＳＧメンバー関係が変化した（ＣＳＧ契約加入者から非ＣＳＧ契約加入者になる）時，ＭＭＥはＨｅＮＢに指示を出してローカルゲートウェイをトリガーさせてローカルアクセスＰＤＮ接続リリースを開始する必要がある。
【００８３】
具体的には，ユーザがＷｉｌｄｃａｒｄ  ＡＰＮに加入していないと，ＭＭＥはホーム基地局に指示を出してローカルゲートウェイをトリガーさせてアクティブにしたすべてのローカルアクセスＰＤＮ接続リリースを開始する。ユーザがＷｉｌｄｃａｒｄ  ＡＰＮに加入したと，ＭＭＥはホーム基地局に指示を出してローカルゲートウェイをトリガーさせてセッション管理コンテキスト中においてＣＳＧとバインディングされたＡＰＮに対応するローカルアクセスＰＤＮ接続リリースを開始し，セッション管理コンテキスト中においてＣＳＧとバインディングされていないＡＰＮに対応するローカルアクセスＰＤＮ接続に対して処理を行わない。
【００８４】
ステップ１００２：ＭＭＥはＨＳＳにユーザデータ挿入応答メッセージを応答する。
ステップ１００３：ＭＭＥはＳ１インターフェースメッセージ中における進化した無線アクセスベアラ修正要求メッセージを通じてユーザの新たなＣＳＧメンバー関係又はローカルアクセス接続非アクティブ化指示をＨｅＮＢに送信する。
【００８５】
ステップ１００１の判定に基づいて，ＭＭＥはホーム基地局に指示を出してローカルゲートウェイをトリガーさせてすべてのアクティブにしたローカルアクセスＰＤＮ接続リリースを開始する必要があると，すべてのローカルアクセスＰＤＮ接続に対応する無線ベアラの修正パラメータ中にユーザＣＳＧメンバー関係又はローカルアクセス接続非アクティブ化指示を携帯する。ＭＭＥはホーム基地局に指示を出してローカルゲートウェイをトリガーさせてセッション管理コンテキスト中においてＣＳＧとバインディングされたＡＰＮに対応するローカルアクセスＰＤＮ接続リリースを開始する必要があると，ＣＳＧとバインディングされたＡＰＮに対応するローカルアクセスＰＤＮ接続が対応する無線ベアラの修正パラメータ中にユーザＣＳＧメンバー関係又はローカルアクセス接続非アクティブ化指示を携帯する。
【００８６】
ＨｅＮＢは上記の指示を携帯している無線ベアラに基づいて相応するローカルアクセス接続及びそれをサービスするＬ−ＧＷを見つけて，Ｌ−ＧＷをトリガーしてローカルアクセスＰＤＮ接続リリースを開始することができる。
【００８７】
ただし、ＭＭＥはユーザＣＳＧメンバー関係パラメータを使用してＨｅＮＢに指示を出してＬ−ＧＷをトリガーさせてローカルアクセスＰＤＮ接続リリースを開始すると，ＨｅＮＢはそれを以前のＣＳＧメンバー関係と比較する必要があり，ユーザがＣＳＧメンバーから非ＣＳＧメンバーになったと発見したと，Ｌ−ＧＷをトリガーして無線ベアラに対応するローカルアクセスＰＤＮ接続リリースを開始する。
【００８８】
ＭＭＥはローカルアクセス接続非アクティブ化パラメータを使用してＨｅＮＢに指示を出してＬ−ＧＷをトリガーさせてローカルアクセスＰＤＮ接続リリースを開始すると，ＨｅＮＢはローカルアクセス接続非アクティブ化パラメータ指示を受信した後、Ｌ−ＧＷをトリガーして無線ベアラに対応するローカルアクセスＰＤＮ接続リリースを開始する。
【００８９】
ステップ１００４：ＨｅＮＢはＭＭＥへ進化した無線アクセスベアラ修正応答メッセージを応答する。
【００９０】
ステップ１００５：ＨｅＮＢはステップ１００３の判定に基づいて，ＨｅＮＢとＬ−ＧＷとの間のＳｘｘインターフェース又は内部インターフェースによりＬ−ＧＷに通知して相応のローカルアクセスＰＤＮ接続リリースを開始する。そのうち、Ｓｘｘインターフェースは標準化されていないインターフェースである。
【００９１】
ステップ１００６：Ｌ−ＧＷは通知応答メッセージを返答する。
【００９２】
ステップ１００７−１０１０：Ｌ−ＧＷはローカルアクセスＰＤＮ接続リリース過程を開始する。
【００９３】
ステップ１０１１−１０１２：ローカルアクセスＰＤＮは対応する無線ベアラリリースに接続する。
【００９４】
応用例５
図１１は本発明応用例５のフローチャートであり，ＧＰＲＳネットワークを例として，ユーザローカルアクセス加入データが変化する時のローカルアクセス接続の処理方法を説明し，具体的には、本実施例は、コアネットワーク移動性管理ユニットＧｎ／Ｇｐ  ＳＧＳＮ（支持することを示しＧｎ或Ｇｐインターフェース的ＳＧＳＮ）中に保存しているユーザＣＳＧ加入がタイムアウトすることを例としてローカルアクセス接続処理方法の説明を行う。
【００９５】
ステップ１１０１：コアネットワーク移動性管理ユニットＧｎ／Ｇｐ  ＳＧＳＮ中にユーザのＣＳＧの加入情報を保存し，ユーザが接続状態にあり且つハイブリッドモードホーム基地局によりネットワークにアクセスする時，Ｇｎ／Ｇｐ  ＳＧＳＮはホーム基地局に対応するＣＳＧ  ＩＤタイムアウトによってユーザのＣＳＧメンバー関係が変化した（ＣＳＧ契約加入者から非ＣＳＧ契約加入者になる）ことを検出した時，ＳＧＳＮはローカルアクセスＰＤＮ接続非アクティブ化過程を開始する必要がある。
【００９６】
具体的には，ユーザがＷｉｌｄｃａｒｄ  ＡＰＮに加入していないと，ＳＧＳＮはアクティブにしたすべてのローカルアクセスＰＤＮ接続非アクティブ化を開始する。ユーザがＷｉｌｄｃａｒｄ  ＡＰＮに加入したと，ＳＧＳＮはセッション管理コンテキスト中においてＣＳＧとバインディングされたＡＰＮに対応するローカルアクセスＰＤＮ接続非アクティブ化を開始し，セッション管理コンテキスト中においてＣＳＧとバインディングされていないＡＰＮに対応するローカルアクセスＰＤＮ接続に対して処理を行わない。
【００９７】
ステップ１１０２：Ｇｎ／Ｇｐ  ＳＧＳＮはＩｕインターフェースＣｏｍｍｏｎ  ＩＤ（共通識別子）メッセージを通じてユーザの新たなＣＳＧメンバー関係（ＣＳＧ契約加入者から非ＣＳＧ契約加入者になる）をＨＮＢ  ＧＷによりＨＮＢに送信し，これにより、ＨＮＢは新たのＣＳＧメンバー関係を使用してエアインターフェースリソース割り当てを実行する。
【００９８】
ステップ１１０３：Ｇｎ／Ｇｐ  ＳＧＳＮはステップ１１０１の判断結果に基づいてローカルアクセス接続非アクティブ化過程を開始し，Ｇｎ／Ｇｐ  ＳＧＳＮはＬ−ＧＧＳＮにＰＤＰコンテキスト非アクティブ化要求メッセージを送信する。
【００９９】
ステップ１１０４：Ｌ−ＧＧＳＮはＰＤＰコンテキスト非アクティブ化応答メッセージを返答する。
【０１００】
ステップ１１０５−１１０６：ローカルアクセス接続に対応する無線ベアラをリリースする。
【０１０１】
応用例６
図１２は本発明応用例６のフローチャートであり，ＧＰＲＳネットワークを例として，ユーザローカルアクセス加入データが変化する時のローカルアクセス接続の処理方法を説明し，具体的には、
本実施例は加入データが更新してコアネットワーク移動性管理ユニットＧｎ／Ｇｐ  ＳＧＳＮ中に保存しているユーザＣＳＧ加入の失効をもたらすことを例としてローカルアクセス接続処理方法の説明を行う。
【０１０２】
ステップ１２０１：ＨＬＲ中においてユーザＣＳＧ加入は更新し，ＨＬＲはＧｎ／Ｇｐ  ＳＧＳＮに更新されたＣＳＧ加入情報を携帯するユーザデータ挿入要求メッセージを送信する。
【０１０３】
Ｇｎ／Ｇｐ  ＳＧＳＮは新たなＣＳＧ加入メッセージに基づいてユーザ現在のＣＳＧメンバー関係が変化したと発見した時，すなわち接続状態ユーザ現在アクセスホーム基地局に対応するＣＳＧ  ＩＤ加入は失効してユーザのＣＳＧメンバー関係が変化した（ＣＳＧ契約加入者から非ＣＳＧ契約加入者になる）時，Ｇｎ／Ｇｐ  ＳＧＳＮはローカルアクセス接続非アクティブ化過程を開始する必要がある。
【０１０４】
具体的には，ユーザがＷｉｌｄｃａｒｄ  ＡＰＮに加入していないと，Ｇｎ／Ｇｐ  ＳＧＳＮはアクティブにしたすべてのローカルアクセスＰＤＮ接続非アクティブ化を開始する。ユーザがＷｉｌｄｃａｒｄ  ＡＰＮに加入したと，ＭＭＥはセッション管理コンテキスト中においてＣＳＧとバインディングされたＡＰＮに対応するローカルアクセスＰＤＮ接続非アクティブ化を開始し，セッション管理コンテキスト中においてＣＳＧとバインディングされていないＡＰＮに対応するローカルアクセスＰＤＮ接続に対して処理を行わない。
【０１０５】
ステップ１２０２：Ｇｎ／Ｇｐ  ＳＧＳＮはＨＬＲにユーザデータ挿入応答メッセージを応答する。
【０１０６】
ステップ１２０３〜ステップ１２０７：応用例５のステップ１１０２〜ステップ１１０６と同じ，繰り返して説明しない。
【０１０７】
応用例７
図１３は本発明応用例７のフローチャートであり，ＧＰＲＳネットワークを例として，ユーザローカルアクセス加入データが変化する時のローカルアクセス接続の処理方法を説明し，具体的には、
本実施例はコアネットワーク移動性管理ユニットＧｎ／Ｇｐ  ＳＧＳＮ中に保存しているユーザＣＳＧ加入タイムアウトを例としてローカルアクセス接続処理方法の説明を行う。
【０１０８】
ステップ１３０１：コアネットワーク移動性管理ユニットＧｎ／Ｇｐ  ＳＧＳＮ中にユーザのＣＳＧの加入情報を保存し，ユーザが接続状態にあり且つハイブリッドモードホーム基地局によりネットワークにアクセスする時，Ｇｎ／Ｇｐ  ＳＧＳＮはホーム基地局に対応するＣＳＧ  ＩＤタイムアウトによりユーザのＣＳＧメンバー関係が変化した（ＣＳＧ契約加入者から非ＣＳＧ契約加入者になる）ことを検出した時，Ｇｎ／Ｇｐ  ＳＧＳＮはＨＮＢに指示を出してローカルゲートウェイをトリガーさせてローカルアクセスＰＤＮ接続非アクティブ化を開始する必要がある。
【０１０９】
具体的には，ユーザがＷｉｌｄｃａｒｄ  ＡＰＮに加入していないと，Ｇｎ／Ｇｐ  ＳＧＳＮはホーム基地局に指示を出してローカルゲートウェイをトリガーさせてアクティブにしたすべてのローカルアクセスＰＤＮ接続非アクティブ化を開始する。ユーザがＷｉｌｄｃａｒｄ  ＡＰＮに加入したと，Ｇｎ／Ｇｐ  ＳＧＳＮはホーム基地局に指示を出してローカルゲートウェイをトリガーさせてセッション管理コンテキスト中においてＣＳＧとバインディングされたＡＰＮに対応するローカルアクセスＰＤＮ接続非アクティブ化を開始し，セッション管理コンテキスト中においてＣＳＧとバインディングされていないＡＰＮに対応するローカルアクセスＰＤＮ接続に対して処理を行わない。
【０１１０】
ステップ１３０２：Ｇｎ／Ｇｐ  ＳＧＳＮはＩｕインターフェースメッセージ中における無線アクセスベアラ（ＲＡＢ）修正要求メッセージを通じてユーザＣＳＧメンバー関係又はローカルアクセス接続非アクティブ化指示をＨＮＢ  ＧＷによりＨＮＢを送信する。
【０１１１】
ステップ１３０１の判定に基づいて，Ｇｎ／Ｇｐ  ＳＧＳＮはホーム基地局に指示を出してローカルゲートウェイをトリガーさせてすべてのアクティブにしたローカルアクセスＰＤＮ接続リリースを開始する必要があると，すべてのローカルアクセスＰＤＮ接続に対応する無線ベアラの修正パラメータ中にユーザＣＳＧメンバー関係又はローカルアクセス接続非アクティブ化指示を携帯する。如果Ｇｎ／Ｇｐ  ＳＧＳＮはホーム基地局に指示を出してローカルゲートウェイをトリガーさせてセッション管理コンテキスト中ＣＳＧとバインディングされたＡＰＮに対応するローカルアクセスＰＤＮ接続リリースを開始する必要があると，ＣＳＧとバインディングされたＡＰＮに対応するローカルアクセスＰＤＮ接続が対応する無線ベアラの修正パラメータ中にユーザＣＳＧメンバー関係又はローカルアクセス接続非アクティブ化指示を携帯する。
【０１１２】
ＨＮＢは上記の指示を携帯している無線ベアラに基づいて相応するローカルアクセス接続及びそれをサービスするＬ−ＧＧＳＮを見つけて，Ｌ−ＧＧＳＮをトリガーしてローカルアクセスＰＤＮ接続非アクティブ化を開始することができる。
【０１１３】
ただし、Ｇｎ／Ｇｐ  ＳＧＳＮはユーザＣＳＧメンバー関係パラメータを使用してＨＮＢ指示を出してＬ−ＧＧＳＮをトリガーさせてローカルアクセスＰＤＮ接続非アクティブ化を開始すると，ＨＮＢはそれを以前のＣＳＧメンバー関係と比較し，ユーザがＣＳＧメンバーから非ＣＳＧメンバーになったと発見したと，Ｌ−ＧＧＳＮをトリガーして無線ベアラに対応するローカルアクセスＰＤＮ接続非アクティブ化を開始する。
【０１１４】
Ｇｎ／Ｇｐ  ＳＧＳＮはローカルアクセス接続非アクティブ化パラメータを使用してＨＮＢ指示を出してＬ−ＧＧＳＮをトリガーさせてローカルアクセスＰＤＮ接続非アクティブ化を開始すると，ＨＮＢはローカルアクセス接続非アクティブ化パラメータ指示を受信した後Ｌ−ＧＧＳＮをトリガーして無線ベアラに対応するローカルアクセスＰＤＮ接続非アクティブ化を開始する。
【０１１５】
ステップ１３０３：ＨＮＢは無線アクセスベアラ修正応答メッセージを応答する。
【０１１６】
ステップ１３０４：ＨＮＢはステップ１３０２の判定に基づいて，ＨＮＢとＬ−ＧＧＳＮとの間のＳｘｘインターフェース又は内部インターフェースによりＬ−ＧＧＳＮに通知して相応するローカルアクセスＰＤＮ接続リリースを開始し，そのうち、Ｓｘｘインターフェースは標準化されていないインターフェースである。
【０１１７】
ステップ１３０５：Ｌ−ＧＧＳＮは通知応答メッセージを返答する。
【０１１８】
ステップ１３０６−１３０７：Ｌ−ＧＧＳＮはＰＤＰコンテキスト非アクティブ化過程を開始する。
【０１１９】
ステップ１３０８−１３０９：ローカルアクセスＰＤＮは対応する無線ベアラリリースに接続する。
【０１２０】
応用例８
図１４は本発明応用例８のフローチャートであり，ＧＰＲＳネットワークを例として，ローカルアクセス加入データが変化する時のローカルアクセス接続の処理方法を説明し，具体的には、本実施例は加入データが更新してコアネットワーク移動性管理ユニットＧｎ／Ｇｐ  ＳＧＳＮ中に保存しているユーザＣＳＧ加入の失効をもたらすことを例としてローカルアクセス接続処理方法の説明を行う。
【０１２１】
ステップ１４０１：ＨＬＲ中においてユーザＣＳＧ加入データは更新し，ＨＬＲはＧｎ／Ｇｐ  ＳＧＳＮに更新されたＣＳＧ加入情報を携帯するユーザデータ挿入要求メッセージを送信する。
【０１２２】
Ｇｎ／Ｇｐ  ＳＧＳＮは新たなＣＳＧ加入メッセージに基づいてユーザ現在のＣＳＧメンバー関係が変化したと発見した時，すなわち接続状態ユーザ現在アクセスホーム基地局に対応するＣＳＧ  ＩＤ加入は失効してユーザのＣＳＧメンバー関係が変化した（ＣＳＧ契約加入者から非ＣＳＧ契約加入者になる）時，Ｇｎ／Ｇｐ  ＳＧＳＮはＨＮＢに指示を出してローカルゲートウェイをトリガーさせてローカルアクセスＰＤＮ接続非アクティブ化を開始する。
【０１２３】
具体的には，ユーザがＷｉｌｄｃａｒｄ  ＡＰＮに加入していないと，Ｇｎ／Ｇｐ  ＳＧＳＮはホーム基地局に指示を出してローカルゲートウェイをトリガーさせてアクティブにしたすべてのローカルアクセスＰＤＮ接続非アクティブ化を開始する。ユーザがＷｉｌｄｃａｒｄ  ＡＰＮに加入したと，ＳＧＳＮはホーム基地局に指示を出してローカルゲートウェイをトリガーさせてセッション管理コンテキスト中においてＣＳＧとバインディングされたＡＰＮに対応するローカルアクセスＰＤＮ接続非アクティブ化を開始し，セッション管理コンテキスト中においてＣＳＧとバインディングされていないＡＰＮに対応するローカルアクセスＰＤＮ接続に対して処理を行わない。
【０１２４】
ステップ１４０２：Ｇｎ／Ｇｐ  ＳＧＳＮはＨＬＲにユーザデータ挿入応答メッセージを返す。
【０１２５】
ステップ１４０３：Ｇｎ／Ｇｐ  ＳＧＳＮはＩｕインターフェースメッセージ中における無線アクセスベアラ修正要求メッセージを通じてユーザＣＳＧメンバー関係又はローカルアクセス接続非アクティブ化指示をＨＮＢ  ＧＷによりＨＮＢに送信する。
【０１２６】
ステップ１４０１の判定に基づいて，Ｇｎ／Ｇｐ  ＳＧＳＮはホーム基地局に指示を出してローカルゲートウェイをトリガーさせてすべてのアクティブにしたローカルアクセスＰＤＮ接続リリースを開始する必要があると，すべてのローカルアクセスＰＤＮ接続に対応する無線ベアラの修正パラメータ中にユーザＣＳＧメンバー関係又はローカルアクセス接続非アクティブ化指示を携帯する。Ｇｎ／Ｇｐ  ＳＧＳＮはホーム基地局に指示を出してローカルゲートウェイをトリガーさせてセッション管理コンテキスト中ＣＳＧとバインディングされたＡＰＮに対応するローカルアクセスＰＤＮ接続リリースを開始する必要があると，ＣＳＧとバインディングされたＡＰＮに対応するローカルアクセスＰＤＮ接続が対応する無線ベアラの修正パラメータ中にユーザＣＳＧメンバー関係又はローカルアクセス接続非アクティブ化指示を携帯する。
【０１２７】
ＨＮＢは上記の指示を携帯している無線ベアラに基づいて相応するローカルアクセス接続及びそれをサービスするＬ−ＧＧＳＮを見つけて，Ｌ−ＧＧＳＮをトリガーしてローカルアクセスＰＤＮ接続非アクティブ化を開始することができる。
【０１２８】
ただし、Ｇｎ／Ｇｐ  ＳＧＳＮはユーザＣＳＧメンバー関係パラメータを使用してＨＮＢ指示を出してＬ−ＧＧＳＮをトリガーさせてローカルアクセスＰＤＮ接続非アクティブ化を開始すると，ＨＮＢはそれを以前のＣＳＧメンバー関係と比較し，ユーザがＣＳＧメンバーから非ＣＳＧメンバーになったと発見したと，Ｌ−ＧＧＳＮをトリガーして無線ベアラに対応するローカルアクセスＰＤＮ接続非アクティブ化を開始する。
【０１２９】
Ｇｎ／Ｇｐ  ＳＧＳＮはローカルアクセス接続非アクティブ化パラメータを使用してＨＮＢ指示を出してＬ−ＧＧＳＮをトリガーさせてローカルアクセスＰＤＮ接続非アクティブ化を開始すると，ＨＮＢはローカルアクセス接続非アクティブ化パラメータ指示を受信した後Ｌ−ＧＧＳＮをトリガーして無線ベアラに対応するローカルアクセスＰＤＮ接続非アクティブ化を開始する。
【０１３０】
ステップ１４０４：ＨＮＢは無線アクセスベアラ修正応答メッセージを応答する。
【０１３１】
ステップ１４０５：ＨＮＢはステップ１４０３の判定に基づいて，ＨＮＢとＬ−ＧＧＳＮとの間のＳｘｘインターフェース又は内部インターフェースによりＬ−ＧＧＳＮに通知して相応するローカルアクセスＰＤＮ接続リリースを開始し，そのうち、Ｓｘｘインターフェースは標準化されていないインターフェースである。
【０１３２】
ステップ１４０６：Ｌ−ＧＧＳＮは通知応答メッセージを返答する。
【０１３３】
ステップ１４０７−１４０８：Ｌ−ＧＧＳＮはＰＤＰコンテキスト非アクティブ化過程を開始する。
【０１３４】
ステップ１４０９−１４１０：ローカルアクセスＰＤＮは対応する無線ベアラリリースに接続する。
【０１３５】
ただし、ＥＰＣネットワークＳ４  ＳＧＳＮ場合のローカルアクセスＰＤＮ接続処理は実施例一〜四と同じ，相違はＩｕインターフェース通知に採用されるメッセージが異なる（実施例五〜八と同じ）ことであり，繰り返して説明せず，実施例は同等上書きすべきである。
【０１３６】
当業者は、上記方法における全部又は一部のステップをプログラムによって関連ハードウェアに命令を出して完成させることができ、前記プログラムはコンピュータ読み取り可能な記憶媒体、例えば読取り専用メモリ、ディスク又は光ディスク等に記憶してもよいと理解することができる。選択肢として、上記実施例の全部又は一部のステップが一つ又は複数の集積回路により実現されてもよい。相応的に、上記実施例における各モジュール／ユニットはハードウェアの形式で実現されてもよく、ソフトウェア機能モジュールの形式で実現されてもよい。本発明は如何なる特定形式のハードウェアとソフトウェアの組合せに限らない。
【０１３７】
もちろん、本発明はさらに他の多種の実施例を有してもよく、本発明の趣旨とその実質を逸脱しない場合に、本分野に詳しい当業者は本発明に基づいて各種の相応の変更と変形を行うことができるが、これらの相応の変更と変形はいずれも本発明に添付される請求の範囲の保護範囲に属する。
【産業上の利用可能性】
【０１３８】
本発明の実施例による方法及び装置は，ローカルアクセス加入情報が動的に変化し，特にユーザ端末がＣＳＧ契約加入者から非ＣＳＧ契約加入者になった時、ネットワーク側にローカルアクセス接続をリリースさせられ，不必要的なリソース浪費を避ける。
【図１】
0005859680.tif 000002
【図２ａ】
0005859680.tif 000003
【図２ｂ】
0005859680.tif 000004
【図３】
0005859680.tif 000005
【図４】
0005859680.tif 000006
【図５】
0005859680.tif 000007
【図６】
0005859680.tif 000008
【図７】
0005859680.tif 000009
【図８】
0005859680.tif 000010
【図９】
0005859680.tif 000011
【図１０】
0005859680.tif 000012
【図１１】
0005859680.tif 000013
【図１２】
0005859680.tif 000014
【図１３】
0005859680.tif 000015
【図１４】
0005859680.tif 000016